(57)【要約】【課題】保持部からのリング体の引抜きと、保持部に対するリング体の保持との双方を簡単に行えるリング体吊下保持具の提供である。【解決手段】吊下ワイヤ（吊下部）Ｗ１と、該吊下ワイヤＷ１に吊り下げられ、テープ（リング体）Ｔの孔部（中央空間）８ａの内径（最大内寸法）ｄよりも大きく形成されて、前記テープＴの下面に当接して、該テープＴを保持する保持バー（保持部）Ｂとを備えたリング体吊下保持具Ｓ１であって、前記保持バーＢは、テープＴを該保持バーＢから引抜き可能とすべく、前記テープＴを下方に引くことにより前記孔部８ａの内径ｄよりも小さく弾性変形し得るように形成された構成とする。【選択図】　　　　図１
2004009264.tif 000002
【特許請求の範囲】
【請求項１】
吊下部と、該吊下部の一端部に設けられ、リング体の中央空間の最大内寸法よりも大きく形成されて、前記リング体の下面に当接して、該リング体を保持する保持部とを備えたリング体吊下保持具であって、
前記保持部は、リング体を該保持部から引抜き可能とすべく、前記リング体を引くことにより前記中央空間の最大内寸法よりも小さく弾性変形し得るように形成されていることを特徴とするリング体吊下保持具。
【請求項２】
前記リング体は、テープであることを特徴とする請求項１に記載のリング体吊下保持具。
【請求項３】
前記保持部は、吊下部が接続される接続部に対して一対の保持バー部が互いに反対側に延設された形状であることを特徴とする請求項１又は２に記載のリング体吊下保持具。
【請求項４】
前記保持部は、自然状態で傾斜していることを特徴とする請求項３に記載のリング体吊下保持具。
【請求項５】
前記保持部は、その一端にリング体を挿入案内する案内部を備え、該案内部をリング体の中央空間に挿入することにより、前記保持部が、その一端から前記中央空間に挿入される構成であることを特徴とする請求項３又は４に記載のリング体吊下保持具。
【請求項６】
前記案内部は、保持されたリング体の落下防止機能を兼備していることを特徴とする請求項５に記載のリング体吊下保持具。
【発明の詳細な説明】
【０００１】
【発明の属する技術分野】
本発明は、電気工事現場等において、作業者の腰部にビニールテープ等のテープ類を吊り下げて保持するためのリング体吊下保持具に関するものである。なお、本明細書において、「テープ」とは、リング状の巻芯の外周に長尺状のテープ単体が巻回されたものを示す。
【０００２】
【従来の技術】
従来のリング体吊下保持具（以下、単に「吊下保持具」と略す場合もある）として、図８に示されるものが知られている。この吊下保持具Ｓ’は、吊下ワイヤＷ１の上端の連結部１に、作業者のベルト等に引っ掛けるためのフックＦ１が回転可能に連結されていると共に、その下端の連結部２に保持バーＢ’が連結された構成である。この保持バーＢ’は、保持すべきテープＴの下面に当接して、これを下方から保持するものである。
【０００３】
吊下ワイヤＷ１は、細径のワイヤロープの外側に可撓性を有するピニールパイプが被覆保護されたものであって、その両端部を内側に折り返して、２本が並列となった部分を金属製のかしめ体３により部分的にかしめることにより、上下の各連結部１，２が形成される。また、フックＦ１は、そのフック本体４がリング連結体５に対して回転可能に連結された構成である。保持バーＢ’は、バー本体６の中央部にリング状をした接続部７が一体に設けられたものであって、この接続部７の部分において、保持バーＢ’は、連結リング９を介して吊下ワイヤＷ１の下端の連結部２に連結されている。また、バー本体６の全長Ｌ’は、テープＴを保持可能とするために、該テープＴの巻芯８の内径ｄよりも長くなっている。
【０００４】
そして、図４に示されるように、１ないし複数個のテープＴを吊下ワイヤＷ１に挿通して、最も下方のテープＴの下面を保持バーＢ’に当接させた状態で、吊下げワイヤＷ１の上端に連結されたフックＦ１を作業者の腰部に巻いたベルトＶのベルト孔３１に引っ掛けることにより、上記した１ないし複数個のテープＴを吊下保持具Ｓ’を介して作業者のベルトＶに吊り下げていた。これにより、作業者は、電線の結線部の被覆等の際に使用するテープＴを、即座に使用可能であって、しかも紛失することなく、身体に吊り下げておくことができる。
【０００５】
このため、従来の吊下保持具Ｓ’からテープＴを取り外すには、図８（イ）に示される保持状態から、同（ロ）に示されるように、一方の手でテープＴを一旦上方に持ち上げた後に、他方の手で保持バーＢ’をほぼ９０°回動させた状態にして、同（ハ）に示されるように、テープＴを下方に引き抜く必要があった。このように、従来のリング体吊下保持具Ｓ’からのテープＴの取出しには、両手を必要とする面倒な作業を強いられていた。
【０００６】
【発明が解決しようとする課題】
本発明の課題は、保持部からのリング体の引抜きと、保持部に対するリング体の保持との双方を簡単に行えるリング体吊下保持具の提供である。
【０００７】
【課題を解決するための手段】
上記の課題を解決するための請求項１の発明は、吊下部と、該吊下部の一端部に設けられ、リング体の中央空間の最大内寸法よりも大きく形成されて、前記リング体の下面に当接して、該リング体を保持する保持部とを備えたリング体吊下保持具であって、前記保持部は、リング体を該保持部から引抜き可能とすべく、前記リング体を引くことにより前記中央空間の最大内寸法よりも小さく弾性変形し得るように形成されていることを特徴としている。
【０００８】
請求項１の発明によれば、保持部に保持されているリング体を取り外すには、そのままの状態で、リング体を引き抜くと、リング体の下面に当接していた前記保持部は、リング体の引抜き力によって、その長さがリング体の中央空間の最大内寸法と同等となるまで弾性変形させられる。そして、保持部の両端部は、リング体の中央空間の内周面に弾接した状態となって、保持部からリング体が引き抜かれる。引抜き後においては、弾性変形していた前記保持部は、原形状に復元する。よって、片方の手でリング体を引き抜くことができると共に、複数個のリング体が多段となって保持されている場合においても、その下段のものから一個ずつ順次引き抜くことができる。
【０００９】
請求項２の発明は、請求項１の発明において、前記リング体は、テープであることを特徴としている。この構成によれば、電気工事現場において、電線の接続部の被覆等に使用されるテープの引抜きが簡単となるため、電気工事の作業能率が高まる。
【００１０】
請求項３の発明は、請求項１又は２の発明において、前記保持部は、吊下部が接続される接続部に対して一対の保持バー部が互いに反対側に延設された形状であることを特徴としている。この構成によれば、吊下部に対して保持部が回動可能となって、該保持部に保持されているリング体を直下のみならず、この直下に対して多少異なった方向に引き抜くことができる。
【００１１】
請求項４の発明は、請求項３の発明において、前記保持部は、自然状態で傾斜していることを特徴としている。この構成によれば、保持部に対してリング体を保持させる際に、保持部における低い側の端部をリング体の中央空間に挿入して、そのまま保持部に対してリング体を持ち上げる（相対的にリング体の中央空間に対して保持部を挿入する）と、リング体の中央空間に対して保持部が完全に挿通され、その後にリング体を放して落下させると、前記保持部は、ほぼ水平姿勢となって、前記リング体は前記保持部に保持される。よって、保持部に対するリング体の保持を片方の手で簡単に行える。
【００１２】
請求項５の発明は、請求項３又は４の発明において、前記保持部は、その一端にリング体を挿入案内する案内部を備え、該案内部をリング体の中央空間に挿入することにより、前記保持部が、その一端から前記中央空間に挿入される構成であることを特徴としている。この構成によれば、保持部の一端に具備した案内部によって、保持部に対するリング体の保持を一層簡単に行える。
【００１３】
請求項６の発明は、請求項５の発明において、前記案内部は、保持されたリング体の落下防止機能を兼備していることを特徴としている。この構成によって、保持部にリング体を保持させた状態で、該保持部の一端に設けられた案内部を吊下部の上端に連結する等すると、吊下保持具の全体が無端状となるために、前記リング体の落下が不能となる。
【００１４】
【発明の実施の形態】
以下、実施形態を挙げて、本発明について更に詳細に説明する。図１は、本発明に係るリング体吊下保持具Ｓ１の斜視図であり、図２（イ），（ロ）は、同じく正面図及び右側面図であり、図３（イ），（ロ），　（ハ）は、それぞれテープＴの保持中、その引抜き途中、及びその引抜き後の各状態を示す正面図であり、図４は、吊下保持具Ｓ１を使用して作業者Ｍの腰部に複数のテープを吊下保持している状態の斜視図である。なお、以下の各吊下保持具Ｓ１〜Ｓ３の説明において、従来の吊下保持具Ｓ’と同一部分には、同一符号を付し、重複説明を避けて異なる部分についてのみ説明する。
【００１５】
本発明の第１実施形態の吊下保持具Ｓ１は、図１及び図２に示されるように、吊下ワイヤＷ１の下端の連結部２に、連結リング９を介して保持バーＢが吊下保持されており、他の構成は、既述の従来の吊下保持具Ｓ’と同一である。即ち、保持バーＢは、金属線材の両端の所定長の部分を除いた残りの中央部分をコイルばね状に巻回させることにより、中央のばね部１２に対して一対の保持バー部１３が互いに反対側に延設された形状である。この保持バーＢは、その中央のコイルばね状のばね部１２が連結リング９を介して吊下ワイヤＷ１の下端の連結部２に「天秤状」となって連結されている。また、図３に示されるように、自然状態における保持バーＢの全長Ｌは、テープＴの巻芯８の内径ｄよりも長い。従って、保持バーＢの各保持バー部１３は、該保持バーＢの全長が短くなるように弾性変形し得る。また、ばね部１２の両側に形成された各保持バー部１３は、テープＴを保持しない自然状態において、その先端の自由端の側が低くなるように形成され、保持バー部１３の先端部１３ａは、下方に向けて略リング状にわん曲されている。
【００１６】
そして、図４に示されるように、電気工事作業者Ｍが前記吊下保持具Ｓ１を使用して、複数のテープＴを自身の腰部に吊下保持させておくには、以下のようにして行う。即ち、保持バーＢを吊下ワイヤＷ１とほぼ平行となるように回動させ、この状態で、保持バーＢの低い側の端部から複数のテープＴを吊下ワイヤＷ１の側に順次挿入した後に、前記保持バーＢをほぼ水平にさせることにより、吊下ワイヤＷ１に対して複数のテープＴを保持バーＢの側に移動させて、該保持バーＢで保持させる。この状態で、吊下ワイヤＷ１の上端に連結されたフックＦ１のフック本体４を、作業者Ｍの腰部に巻き付けてあるベルトＶのベルト孔３１に引っ掛けて、複数のテープＴを吊下保持具Ｓ１を使用して、作業者Ｍの腰部に吊り下げる。なお、複数のテープＴを作業者Ｍの腰部に吊り下げるには、上記と逆に、テープＴを保持していない吊下保持具Ｓ１の上端のフックＦ１を作業者ＭのベルトＶのベルト孔３１に引っ掛けておき、その後に、上記したようにして、吊下保持具Ｓ１に１ないし複数のテープＴを挿入して保持させることも可能である。作業中に、吊下保持具Ｓ１に保持しておいたテープＴを使用し尽くし、新たなテープＴを補充して保持させる場合には、後者の方法が便利である。
【００１７】
また、作業中において、自身の腰部に吊下保持具Ｓ１を介して吊り下げているテープＴを引き抜くには、以下のようにして行う。即ち、図３（イ）に示される状態では、保持バーＢがテープＴの下面に当接して、該テープＴが保持されている。この状態で、片方の手によりテープＴを下方に引き抜くと、保持バーＢは、その中央部のばね部１２の復元力に抗して、その全長ＬがテープＴの巻芯８の内径ｄと同等となるまで、その両側の一対の保持バー部１３が下方に向けて弾性変形される。これにより、図３（ロ）に示されるように、一対の保持バー部１３の各先端部（自由端部）１３ａがテープＴの巻芯８の内側に入り込んで、その内周面に弾接する。更に、テープＴを下方に引き抜くと、上記の形状に弾性変形されていた保持バーＢの各保持バー部１３は、その先端部１３ａがテープＴの巻芯８の内周面から外れることにより、図３（ハ）に示されるように、保持バーＢは、その全体がテープＴの巻芯８の孔部８ａから抜け出て、原形状に復元して、１個のテープＴが吊下保持具Ｓ１から引き抜かれる。なお、各保持バー部１３の先端部１３ａは、下方に向けて略リング形にわん曲されているために、上記したテープＴの引抜きがスムーズとなる。
【００１８】
次に、本発明の第２実施形態の吊下保持具Ｓ２について説明する。図５（イ），（ロ）は、それぞれテープＴの引抜き途中、及び引抜き後の各状態を示す正面図であり、図６は、吊下保持具Ｓ２の全体を無端状にして、テープＴの落下が防止された状態の正面図である。第２実施形態の吊下保持具Ｓ２は、前記吊下保持具Ｓ１において、その保持バーＢの一方の保持バー部１３の長手方向の先端部１３ａに案内ワイヤＷ２を連結したものである。また、案内ワイヤＷ２の先端側（保持バーＢと連結されていない側）には、吊下ワイヤＷ１の上端に連結されたフックＦ１よりも小型の補助フックＦ２が連結されている。このように、保持バーＢの長手方向の一端部に案内ワイヤＷ２が連結され、更に該案内ワイヤＷ２の先端には補助フックＦ２が連結されて、これらが「アンバランスウエイト」として機能しているために、図５（イ）で実線で示されるように、前記保持バーＢは、テープＴを保持していない自然状態において、大きく傾斜している。
【００１９】
このため、図５（イ）に示されるように、保持バーＢは、自然状態において、案内ワイヤＷ２の側に大きく傾斜して、ほぼ垂直に近い姿勢となっているため、案内ワイヤＷ２は、吊下保持具Ｓ２に対してテープＴを保持させる際の案内部材として機能する。よって、吊下保持具Ｓ２に対してテープＴを保持させるには、図５（イ）に示されるように、案内ワイヤＷ２の先端の補助フックＦ２をテープＴの孔部８ａに挿入して、そのままテープＴを保持バーＢの上端を超える位置まで上方に持ち上げた後に、テープＴの素抜けを防止すべく、テープＴを僅かに吊下ワイヤＷ１の側に移動させるか、或いはテープＴを保持している側の手の指先で保持バーＢの傾斜を僅かに緩やかにさせた状態で、テープＴを放して、そのまま落下させると、図５（ロ）に示されるように、傾斜姿勢の保持バーＢがほぼ水平となるまで回動させられて、テープＴの下面に当接して、該テープＴが保持される。このため、吊下保持具Ｓ２に対するテープＴの保持が容易となる。
【００２０】
また、吊下保持具Ｓ２においては、図６に示されるように、案内ワイヤＷ２の先端に連結された補助フックＦ２をフックＦ１のリング連結体５に連結すると、全体が無端状となるために、吊下ワイヤＷ１に保持されているテープＴの落下が防止される。なお、吊下保持具Ｓ２にテープＴが保持された状態で、これを引抜く作用は、上記した吊下保持具Ｓ１の場合とほぼ同様である。
【００２１】
また、図７（イ），（ロ）　は、それぞれ従来の吊下保持具Ｓ’の保持バーＢ’を構成するバー本体６の一端部にアンバランスウエイト２１が取付けられた吊下保持具Ｓ３によるテープＴの保持途中及び保持後の各状態を示す正面図である。即ち、図７には、「吊下部と、該吊下部に吊り下げられ、リング体の中央空間の最大内寸法よりも大きく形成されて、前記リング体の下面に当接して、該リング体を保持する保持部とを備えたリング体吊下保持具であって、前記保持部は、１本バー状に形成されて、該保持部の一端部に、該保持部を自然状態で傾斜させるためのアンバランスウエイトが取付けられたことを特徴とするリング体吊下保持具」が開示されている。
【００２２】
この吊下保持具Ｓ３は、１本バー状の保持バーＢ’を備えた従来の吊下保持具Ｓ’において、前記保持バーＢ’を構成するバー本体６の一端部にアンバランスウエイト２１が取付けられて、該保持バーＢ’は、自然状態において、前記アンバランスウエイト２１の側が低くなるように、大きく傾斜している。このため、吊下保持具Ｓ３にテープＴを保持させるには、図７（イ）に示されるように、その保持バーＢ’の一端のアンバランスウエイト２１の部分をテープＴの孔部８ａに挿入して、そのままテープＴを大きく傾斜した保持バーＢ’の上端を僅かに超える位置まで挿入した後に、テープＴの素抜けを防止すべく、テープＴを僅かに吊下ワイヤＷ１の側に移動させるか、或いはテープＴを保持している側の手の指先で保持バーＢ’の傾斜を僅かに緩やかにさせた状態で、テープＴを放して、そのまま落下させると、図７（ロ）に示されるように、傾斜姿勢の保持バーＢ’がほぼ水平となるまで回動させられて、テープＴの下面に当接して、該テープＴが保持される。このため、吊下保持具Ｓ３に対するテープＴの保持が容易となる。
【００２３】
また、吊下保持具Ｓ３からテープＴを引き抜く際には、テープＴの孔部８ａの内周面に対する保持バーＢ’の端部の係止が解除されて、該保持バーＢ’が自然状態の傾斜姿勢となるまで、吊下ワイヤＷ１に対してテープＴ（複数のテープＴが保持されている場合には、最下段のテープＴ）を上方に持ち上げた後に、そのままテープＴを下方に移動させると、吊下ワイヤＷ１及び保持バーＢ’の部分からテープＴが引き抜かれる。このように、吊下保持具Ｓ３は、テープＴの保持のみならず、その引抜きも容易となる。
【００２４】
また、本発明に係る吊下保持具により保持可能なリング体とは、上記した円リング状のテープに限定されず、中央開口を備えておれば、如何なる形状のものであっても、保持可能である。例えば、中央開口及び外形の双方が方形状をした方形リング状の部材、或いは中央開口が円形で、外形が方形状をした部材等であっても、保持対象となり得る。
【００２５】
【発明の効果】
本発明に係るリング体吊下保持具は、吊下部に吊下保持されているリング体を引き抜こうとすると、前記リング体の下面に当接している保持部の全長が前記リング体の中央空間の最大内寸法よりも小さくなるように、前記保持部が弾性変形されるために、保持部からのリング体を簡単に引き抜くことができる。また、自然状態において、保持部が傾斜した構造にしたり、或いは保持部の一端に案内部を連結することにより、保持部に対するリング体の保持も容易となる。
【図面の簡単な説明】
【図１】本発明に係るリング体吊下保持具Ｓ１の斜視図である。
【図２】（イ），（ロ）は、同じく正面図及び右側面図である。
【図３】（イ），（ロ），　（ハ）は、それぞれ吊下保持具Ｓ１によるテープＴの保持中、その引抜き途中、及びその引抜き後の各状態を示す正面図である。
【図４】吊下保持具Ｓ１を使用して作業者Ｍの腰部に複数のテープを吊下保持している状態の斜視図である。
【図５】（イ），（ロ）は、吊下保持具Ｓ２によるテープＴの保持途中、及び保持後の各状態を示す正面図である。
【図６】吊下保持具Ｓ２の全体を無端状にして、テープＴの落下が防止された状態の正面図である。
【図７】（イ），（ロ）　は、それぞれ従来の吊下保持具Ｓ’の保持バーＢ’の一端部にアンバランスウエイト２１が取付けられた吊下保持具Ｓ３によるテープＴの保持途中及び保持後の各状態を示す正面図である。
【図８】（イ），（ロ），　（ハ）は、それぞれ従来の保持吊下具Ｓ’によるテープＴの保持中、その引抜き途中、及びその引抜き後の各状態を示す正面図である。
【符号の説明】
Ｂ：保持バー（保持部）
ｄ：テープの巻芯の内径（リング体の中央空間の最大内寸法）
Ｓ１，Ｓ２：リング体吊下保持具
Ｔ：テープ（リング体）
Ｗ１：吊下ワイヤ（吊下部）
Ｗ２：案内ワイヤ（案内部）
８ａ：テープの巻芯の孔部（中央空間）
１２：保持バーのばね部（接続部）
１３：保持バー部
【図１】
2004009264.tif 000003
【図２】
2004009264.tif 000004
【図３】
2004009264.tif 000005
【図４】
2004009264.tif 000006
【図５】
2004009264.tif 000007
【図６】
2004009264.tif 000008
【図７】
2004009264.tif 000009
【図８】
2004009264.tif 000010